(57)【要約】【課題】地図上でオブジェクトをマッピングすることなく、現場で収集したマルチメディア情報をそのまま保存するだけでデータベースを自動的に作成することができるマルチメディア情報端末を提供すること。【解決手段】可搬型情報処理機器４と、被写体を撮影する画像入力機器１と、音声情報を収録する音声収録機器２と、経度緯度で表された座標情報及び時間情報を含むＧＰＳ情報を出力するＧＰＳ装置３と、携帯電話５とを一体型に収納及び接続してなり、可搬型情報処理機器４に、画像情報と音声情報とのマルチメディア情報並びにＧＰＳ情報を取り込む機能と、携帯電話５で回線接続している通信相手１０に同時に収集したマルチメディア情報とＧＰＳ情報とを１組にした送信データを送出する機能とを備える。【選択図】      図２
2007128499.tif 000002
【特許請求の範囲】
【請求項１】
現場で収集した画像情報と地図上での収集場所とが対応付けられたベータベースを作成するための画像情報を収集する画像情報端末装置であり、
可搬型情報処理機器と、
被写体を撮影する画像入力機器と、
経度緯度で表された座標情報及び時間情報を含むＧＰＳ情報を出力するＧＰＳ装置と、
前記可搬型情報処理機器に指令を与えるための操作スイッチと、
前記移動通信無線機を予め決められた通信相手へ回線接続するオートダイヤル機能と
移動通信無線機とを一体型に収納及び接続してなり、
前記可搬型情報処理機器に、前記画像入力機器で撮影した被写体の画像情報と当該画像情報を収集したときに前記ＧＰＳ装置から出力しているＧＰＳ情報を取り込む機能と、前記移動通信無線機で回線接続している通信相手に同時に収集した画像情報とＧＰＳ情報とを１組にした送信データを送出する機能とを備え、
前記画像情報及びＧＰＳ情報の取り込みから通信相手へ送信するまでの処理を前記操作スイッチのオン操作によって開始することを特徴とする画像情報端末装置。
【請求項２】
請求項１記載の画像情報端末装置において、前記可搬型情報処理機器に、前記画像入力機器から取り込んだ画像情報及び前記ＧＰＳ装置から取り込んだＧＰＳ情報をファイル形式で保存する機能と、前記画像情報及びＧＰＳ情報の各ファイル名をＧＰＳ情報の時間情報を使用して作成する機能とを備えたことを特徴とする画像情報端末装置。
【請求項３】
請求項１又は請求項２に記載の画像情報端末装置において、
前記可搬型情報処理機器は、前記時刻情報時に取り込んだ前記１組にした画像情報及びＧＰＳ情報に、当該画像情報端末装置の端末情報及び日時情報に基づいたディレクトリ名を付与し、前記通信相手に送信することを特徴とする画像情報端末装置。
【発明の詳細な説明】
【技術分野】
【０００１】
本発明は、地図情報システムのデータベースをマルチメディア情報で作成するために画像データ、音声データ等のマルチメディア情報を入力するのに有効なマルチメディア情報端末装置に関する。
【背景技術】
【０００２】
従来の地図情報システムは、地図上にシンボル等のオブジェクトを配置して、そのオブジェクトのＩＤ（識別子）に工事の付属情報や画像情報等を対応付けることにより地図上にそれら情報を重ねて表示できるようにしている。付属情報や画像情報を地図上で該当位置に関連させて表示するためには、事前に地図データのページ番号や地図上での座標情報に対応付けて、地図上に表示するシンボル、工事名称や業者名などの付属情報、工事現場を撮影した画像情報等のデータでデータベースを作成しておく必要がある。
【０００３】
従来は、データベース装置に構築するデータベースの情報は地図データ以外のデータの多くをオペレータが手作業で入力していた。具体的には、図７に示すように地図情報システムを使用して表示した地図上で工事現場に相当する場所にシンボルを配置し、このシンボルのＩＤをシンボルリストに登録する。シンボルの登録と一緒に、工事現場の付属情報を保存する付属情報ファイルや工事現場の画像データを保存する画像ファイルを、それぞれのファイル名を決めてデータベースに登録する。そして、工事現場の付属情報が格納されている付属情報ファイルや当該工事現場の撮影画像データが格納されている画像ファイルの所在を示す情報をシンボルＩＤに対応させてシンボルリストに登録する。画像データの他にも、撮影と一緒に現場で収録した音声情報をファイル形式にしてシンボルＩＤに対応付けてデータベースに登録しておくこともできる。
【０００４】
地図情報システムの地図上に対応する画像データなどを重ねて配置する場合は、地図上に配置したシンボルをオペレータが選択して画像データ等の配置指示を与える必要がある。当該選択シンボルのＩＤをキーにしてデータベースから対応する画像ファイル、付属情報ファイル及び音声情報ファイルを取り出し、その画像ファイル及び付属情報ファイルの内容をシンボル位置に表示し、またその音声情報ファイルの音声情報を適時に音声出力する。
【発明の開示】
【発明が解決しようとする課題】
【０００５】
しかしながら、現場で収集されたマルチメディア情報（画像、音声）を地図情報システムのデータベースに登録する場合、地図上の該当位置にシンボルを配置してそれに情報を対応付ける煩雑な作業をオペレータの手作業に頼っていたので、必ずしも作業性の良いものではなく、入力情報量が多くなる広い地域のデータベースを作成するためには膨大な労力と時間が必要であった。
【０００６】
本発明は、以上のような実情に鑑みてなされたもので、現場で収集したマルチメディア情報をオペレータの手作業が介在することなく自動的にデータベースに構築できるマルチメディア情報端末装置を提供することを目的とする。
【課題を解決するための手段】
【０００７】
上記目的を達成するために、本発明の一態様によれば、現場で収集した画像情報と地図上での収集場所とが対応付けられたベータベースを作成するための画像情報を収集する画像情報端末装置であり、可搬型情報処理機器と、被写体を撮影する画像入力機器と、経度緯度で表された座標情報及び時間情報を含むＧＰＳ情報を出力するＧＰＳ装置と、前記可搬型情報処理機器に指令を与えるための操作スイッチと、前記移動通信無線機を予め決められた通信相手へ回線接続するオートダイヤル機能と移動通信無線機とを一体型に収納及び接続してなり、前記可搬型情報処理機器に、前記画像入力機器で撮影した被写体の画像情報と当該画像情報を収集したときに前記ＧＰＳ装置から出力しているＧＰＳ情報を取り込む機能と、前記移動通信無線機で回線接続している通信相手に同時に収集した画像情報とＧＰＳ情報とを１組にした送信データを送出する機能とを備え、前記画像情報及びＧＰＳ情報の取り込みから通信相手へ送信するまでの処理を前記操作スイッチのオン操作によって開始することを特徴とする画像情報端末装置が提供される。
【発明の効果】
【０００８】
以上詳記したように本発明によれば、地図上で位置情報を表すようなオブジェクトをマッピングすることなく、現場で収集したマルチメディア情報をそのまま保存するだけでデータベースを自動的に作成することができ、地図情報システムのデータベースを容易に作成することができる。また、マルチメディア情報及びＧＰＳ情報をファイル形式で保存する場合に、そのファイル名を重複なく一意に決定することができ、作業員がその都度指定する必要がないことから、マルチメディア情報の収集及び格納時の作業員の作業性を飛躍的に改善できる。さらに、マルチメディア情報の収集から伝送までの一連の処理で作業員が介在するのは１回のスイッチ操作だけでよいことから、作業員の負担を大幅に軽減することができる。
【発明を実施するための最良の形態】
【０００９】
以下、本発明の実施の形態について説明する。図１は本実施の形態のマルチメディア情報端末装置の構成を示している。このマルチメディア情報端末装置は、現場の画像を入力するディジタルスチルカメラ１、同現場で音声を収録するマイク２、衛星から位置情報等を受信するＧＰＳ(Global Positioning System) 装置３、マルチメディア情報の取込み及び格納部として機能する可搬型パーソナルコンピュータ（以下、「可搬型ＰＣ」と呼ぶ）４、マルチメディア情報を送信する携帯電話５等を収納ケースに一体型に収納した構成となっている。但し、ディジタルスチルカメラ１やマイク２はコードを介して可搬型ＰＣ４へ接続される。
【００１０】
ディジタルスチルカメラ１は、ストロボを備えておりＣＣＤからなる撮像素子で撮像した被写体のカラー画像情報を一般のビデオ信号に変換して出力する。このディジタルスチルカメラ１の撮影動作を可搬型ＰＣ４からも制御することができるようにしている。マイク２は現場で収集した音声を一般的な音声信号に変換して出力する。マイク２のオンオフはマイク２に設けられているスイッチによってオペレータが操作できるようにしている。これらディジタルスチルカメラ１及びマイク２により現場でマルチメディア情報の収集が行われる。
【００１１】
ＧＰＳ装置３は、ＧＰＳ衛星の発信電波を３個受信した場合には経度緯度情報を得られ、４個以上受信した場合にはさらに高度情報を得られるようになっている。ＧＰＳ装置３で経度緯度情報と時刻情報などから移動速度及び移動方向を計算して経度緯度情報及びグリニッジ時刻の日時情報と一緒に所定のフォーマットで周期的に出力する。ＧＰＳ装置３として可搬型ＰＣ４にＰＣＭＣＩＡカードで接続できるタイプのものを使用しており、周期的に経度緯度情報、グリニッジ日時情報、移動速度情報及び移動方向情報を可搬型ＰＣ４に対して出力する。
【００１２】
可搬型ＰＣ４にディジタルスチルカメラ１及びマイク２から取込むマルチメディア情報及びＧＰＳ装置３から取込むＧＰＳ情報をファイル形式で一時格納するための情報格納用ＨＤＤ６を内蔵している。また、可搬型ＰＣ４にはマルチメディア情報の収集から後述するデータベースへ登録するために送信するまでの一連の処理のトリガをオペレータが入力するための操作スイッチ７が接続され、その一連の処理の処理状況をオペレータに伝える合成音の音声出力部となるイヤホン８が接続されている。
【００１３】
携帯電話５は、可搬型ＰＣ４のオートダイヤル機能によってセンタ側のワークステーションに回線接続することができる。情報格納用ＨＤＤ６に格納したマルチメディア情報及びＧＰＳ情報は可搬型ＰＣ４が読出してセンタ側のワークステーションに電話回線網９を経由して送信される。
【００１４】
図２はそれぞれの現場にいる作業者に携帯された複数のマルチメディア情報端末装置とセンタとの関係を示す概念図である。センタ１０にはワークステーション１１及びデータベース装置１２が設置されている。データベース装置１２に地図情報システムのデータベースが構築される。ワークステーション１１にインストールしている地図情報システムのソフトウエアを起動することにより地図情報システムが提供されることになる。
【００１５】
図３はデータベース装置１２に構築された地図情報システムのデータベース構造を示している。地図データを保存したファイル、現場で収集した画像データを保存した画像ファイル、現場で収集した音声を保存した音声情報ファイルの他に、ＧＰＳ情報ファイル及びこれらのファイルを管理するためのファイル管理データのファイルが存在する。
【００１６】
以上のように構成されたマルチメディア情報端末装置の処理内容について説明する。このマルチメディア情報端末装置は現場を移動するオペレータに担がれてオペレータと共に移動し、各現場でマルチメディア情報の収集が行われる。オペレータがマルチメディア情報の収集の指示を可搬型ＰＣ４に対して出すと、可搬型ＰＣ４がＧＰＳ装置３の接続されたＣＯＭポートからＧＰＳ情報（現在の経度緯度情報、グリニッジ日時情報、移動速度情報及び移動方向情報）を読み込む。ＧＰＳ装置３から取込んだ該ＧＰＳ情報はファイル形式にされてファイル名が設定されるまで所定領域に一時保存される。
【００１７】
一方、オペレータはこの現場の状況を写真に写すためにディジタルスチルカメラ１のスイッチを押す。この結果、ディジタルスチルカメラ１で撮像された被写体のカラー画像データはカラービデオ信号に変換されて可搬型ＰＣ４へ送られる。 可搬型ＰＣ４はディジタルスチルカメラ１から入力する１フレーム分のカラービデオ信号をディジタルの画像データに変換して画像ファイルの形式にてファイル名が設定されるまで所定領域に一時保存する。
【００１８】
また、オペレータはこの現場の状況を音声で報告する場合、マイク２をオンにしてオペレータが自ら発声して音声情報を入力する。マイク２で集音した音声情報は音声信号に変換されて可搬型ＰＣ４へ送られる。
【００１９】
可搬型ＰＣ４はマイク２から入力する音声信号をシンセサイザボード等の使用する音源に合わせた形式の音声ファイルに変換してファイル名が設定されるまで所定領域に一時保存する。
【００２０】
上記３つのファイルのファイル名が可搬型ＰＣ４のファイル名自動作成機能によって作成される。可搬型ＰＣ４のファイル名自動作成機能はこれら３つのファイル名を一意に決めるために端末番号及びＧＰＳ情報を使用した以下の規則にしたがってディレクトリ名及びファイル名を自動生成する。
【００２１】
…￥ＡＢＹＹＭＭＤＤ￥時時分分秒秒．ＸＸＸなお、￥〜￥で挟んだ文字列はディレクトリ名、時時分分秒秒．ＸＸＸがファイル名である。また、ＡＢはマルチメディア情報端末装置の端末番号、ＹＹは情報収集年、ＭＭは情報収集月、ＤＤは情報収集日、時時は情報収集時刻、分分は情報収集時刻分、秒秒は情報収集時刻秒である。「．ＸＸＸ」は「．ＧＰＳ」「．ＪＰＧ」「．ＷＡＶ」のいずれかであり、ＧＰＳ装置３からのＧＰＳ情報のファイルには「．ＧＰＳ」を設定し、ディジタルスチルカメラ１からの画像情報のファイルには「．ＪＰＧ」を設定し、マイク２からの音声情報のファイルには「．ＷＡＶ」を設定する。例えば、端末番号＃１のマルチメディア情報端末装置で作成した画像ファイルには、［…￥＃１ＹＹＭＭＤＤ￥時時分分秒秒．ＪＰＧ］のファイル名が自動的に設定されることになる。
【００２２】
このようにして作成した各ファイル名を各々対応するＧＰＳ情報ファイル、画像情報ファイル、音声情報ファイルに付けて情報格納用ＨＤＤ６に格納する。現場で収集したマルチメディア情報及び収集現場で取込んだＧＰＳ情報をファイル形式で情報格納用ＨＤＤ６へ格納したら、携帯電話５でセンタのワークステーション１１へ電話回線を接続する。携帯電話５をワークステテーション１１へ接続した後、情報格納用ＨＤＤ６に格納しているマルチメディア情報のファイル及びＧＰＳ情報のファイルを送信する。
【００２３】
図４は１回のマルチメディア情報の収集でマルチメディア情報端末装置からセンタへ送信するデータの内容を示している。同図に示すように、ファイル毎にディレクトリ名、ファイル名及びファイル内容部で構成される送信データを携帯電話５を介して送信する。
【００２４】
センタ１０では、現場のマルチメディア情報端末装置＃１〜＃４から送信データを受信すると、そのままＧＰＳ情報ファイル、画像ファイル及び音声情報ファイルとしてデータベース装置１２に格納する。このとき、受信データから各ファイルのディレクトリ名及びファイル名を取り出して図５に示すようなファイル管理データを作成することができる。同じ現場でほぼ同時に収集したＧＰＳ情報、画像情報及び音声情報のそれぞれのファイル名を同一レコードとして記憶している。同一端末装置で同日に複数の現場でマルチメディア情報を収集した場合は、それらはレコードは異なるが同一のディレクトリ下に置かれる。
【００２５】
以上のようにして作成したデータベースを利用することにより地図情報システムの地図上にシンボルを配置することなくマルチメディア情報と地図上での現場位置とを対応付けることができる。データベースに登録されているＧＰＳ情報ファイルを開くと経度緯度による地図上の位置情報が登録されており、ＧＰＳ情報ファイルに登録されている位置で収集した画像データ及び音声情報を保存している画像ファイル及び音声情報ファイルはファイル管理データから即座に検索できる。
【００２６】
なお、ファイル管理データを使用しなくてもデータベースに直接検索をかけて当該ＧＰＳ情報ファイルと同じファイル名称（但し、末尾「．ＸＸＸ」のみ異なる）の画像ファイル及び音声ファイルを取り出すようにしても良い。
【００２７】
したがって、ＧＰＳ情報ファイルの絶対座標情報によって地図上での位置を特定することができ、当該現場で収集した画像及び音声を地図上の該当位置に対応付けて表示させることが可能になる。
【００２８】
以上の説明では、現場でのディジタルスチルカメラ１やマイク２の簡単な操作を作業員が行っていたが、カメラのシャッター動作に連動して完全自動でデータベースを作成することができる。
【００２９】
図６のフローチャートにしたがってマルチメディア情報等の取込みからセンタへの送信までを１回の操作で行うための処理について説明する。作業員がディジタルスチルカメラ１を被写体に対して構えた状態でシャッターボタンを押す代わりに操作スイッチ７をオン操作する。操作スイッチ７がオンされると、可搬型ＰＣ４がＧＰＳ装置３の接続されたＣＯＭポートからＧＰＳ情報（現在の経度緯度情報、グリニッジ日時情報、移動速度情報及び移動方向情報）を読み込んで該ＧＰＳ情報のファイルを作成する。また、操作スイッチ７のオン操作に連動して可搬型ＰＣ４からディジタルスチルカメラ１を動作制御して被写体を撮像する。ディジタルスチルカメラ１から入力するビデオ信号をディジタルデータの画像データに変換し、ＪＰＥＧ方式で符号化圧縮してから画像ファイルを作成する。また、操作スイッチ７のオン操作があってから１０秒程度の間にわたり音声情報を収録して音声情報ファイルを作成する。
【００３０】
ＧＰＳ情報、画像情報及び音声情報を収集してファイル作成が行われたところで、可搬型ＰＣ４に内蔵するシンセサイザボードを使用して「マルチメディア情報の収集が完了した」といった趣旨の音をイヤホン８から音声出力させる。イヤホン８から音声出力する音声情報は予め音声情報ファイルの形式で可搬型ＰＣ４内に保存しておく。
【００３１】
可搬型ＰＣ４は収集したＧＰＳ情報、画像情報及び音声情報の３つのファイルについて上記した規則にしたがってディレクトリ名及びファイル名を自動的に作成し、各ファイルにディレクトリ名及びファイル名を付けて情報格納用ＨＤＤ６へ格納する。
【００３２】
情報格納用ＨＤＤ６へＧＰＳ情報、画像情報及び音声情報の３つのファイルが格納されたところで、「収集したＧＰＳ情報、画像情報及び音声情報をセンタへ送信する」といった趣旨の音をイヤホン８から音声出力させる。
【００３３】
可搬型ＰＣ４はオートダイヤル機能を使って携帯電話５からワークステーション１１の電話番号をダイヤルアップし、携帯電話５をワークステーション１１に回線接続する。ワークステーション１１の電話番号は予め可搬型ＰＣ４に保存しておく。ワークステーション１１に回線が接続した後、可搬型ＰＣ４が情報格納用ＨＤＤ６に格納しているＧＰＳ情報及びマルチメディア情報を読出して携帯電話５からワークステーション１１へ送信する。
【００３４】
なお、ワークステーション１１へ電話がつながらなかった場合は、時間をおいてリトライし回線がつながったときに伝送する。このような実施の形態によれば、現場で画像情報及び音声情報といったマルチメディア情報を収集したときに同時に経度緯度の絶対座標情報を含んだＧＰＳ情報を取込んでいるので、データベース上でマルチメディア情報とＧＰＳ情報との対応付けがとられていれば地図上で位置情報を表すようなオブジェクトをマッピングすることなく自動的にデータベースを作成することができる。データベース上でのマルチメディア情報とＧＰＳ情報との対応付けは人間系が介在することなくファイル名等で簡単に自動的に関連付けることができる。
【００３５】
また、マルチメディア情報を個々にファイル形式で保管しておく場合、そのファイル名をＧＰＳ情報に含まれたグリニッジ日時情報と端末番号とから自動的に作成するようにしたので、それぞれのマルチメディア情報に一意に決めることができ、作業員が現場で入力する手間を省くこともできる。
【００３６】
また、マルチメディア情報を個々の入力機器を操作することなく１回のスイッチ操作だけで全てを連動して動作できるようにしたので、作業員のマルチメディア情報収集に関する負担を大幅に軽減することができる。しかも、一連の動作の途中で処理経過をイヤホンからアナウンスするようにしたので、作業員は正常に動作しているか否か確認することができる。
【００３７】
なお、以上の説明では移動通信無線機として携帯電話を用いているがＰＨＳなどの他の機器を用いることもできる。本発明は上記実施形態に限定されるものではなく、本発明の要旨を逸脱しない範囲内で種々変形実施可能である。
【図面の簡単な説明】
【００３８】
【図１】本発明の実施の形態に係るマルチメディア情報端末装置の機能ブロック図。
【図２】複数のマルチメディア情報端末装置とセンタとの関係を示す概念図。
【図３】データベース装置のファイル構成を示す図。
【図４】送信データの具体例を示す図。
【図５】ファイル管理データのデータ配置構成を示す図。
【図６】マルチメディア情報の収集から伝送までの一連の処理を自動化した場合のフローチャート。
【図７】地図上で位置情報を表すようなオブジェクトをマッピングしながらのデータベース作成を示す概念図。
【符号の説明】
【００３９】
１…ディジタルスチルカメラ、２…マイク、３…ＧＰＳ装置、４…可搬型ＰＣ、５…携帯電話、６…情報格納用ＨＤＤ、７…操作スイッチ、８…イヤホン、９…電話回線網、１０…センタ、１１…ワークステーション、１２…データベース装置
【図１】
2007128499.tif 000003
【図２】
2007128499.tif 000004
【図３】
2007128499.tif 000005
【図４】
2007128499.tif 000006
【図５】
2007128499.tif 000007
【図６】
2007128499.tif 000008
【図７】
2007128499.tif 000009